(57)【要約】      （修正有）【課題】各ＬＥＤに流す電流値を異ならせてＬＥＤを駆動する方式の表示装置において長寿命化を図ることが可能となる表示装置を提供する。【解決手段】複数のＬＥＤを備え、前記各ＬＥＤに流す電流を異ならせて前記各ＬＥＤを駆動するローカルディミングの表示装置において、一定時間経過ごとに、または表示装置の電源がオンされるごとに前記各ＬＥＤに流す電流の電流値を変更する制御を行う制御部を備えた構成とする。【選択図】図１
2012155043.tif 000002
【特許請求の範囲】
【請求項１】
複数のＬＥＤ（Light Emitting Diode）を備え、前記各ＬＥＤに流す電流を異ならせて前記各ＬＥＤを駆動する表示装置において、
一定時間経過ごとに、または表示装置の電源がオンされるごとに前記各ＬＥＤに流す電流の電流値を変更する制御を行う制御部を備えたことを特徴とする表示装置。
【請求項２】
前記複数のＬＥＤは、上下方向の一方に横並びに配されるＬＥＤからなる第１ＬＥＤの組と、他方に横並びに配されるＬＥＤからなる第２ＬＥＤの組とからなり、
前記制御部は、一定時間経過ごとに、または表示装置の電源がオンされるごとに第１ＬＥＤの組と第２ＬＥＤの組との間で電流値を入れ替えることを特徴とする請求項１に記載の表示装置。
【請求項３】
前記複数のＬＥＤを有した１８０°回動自在である表示部と、
一定時間経過ごとに、または表示装置の電源がオンされるごとにユーザに前記表示部を１８０°回動させるよう促す報知を行う報知部と、
前記報知後、前記表示部が１８０°回動されたことを検出する検出部と、を備え、
前記検出がされると、前記制御部は、第１ＬＥＤの組と第２ＬＥＤの組との間で電流値を入れ替えることを特徴とする請求項２に記載の表示装置。
【請求項４】
電流値を入れ替えるとき、上方のＬＥＤの組より下方のＬＥＤの組の電流値が大きくなるようにすることを特徴とする請求項３に記載の表示装置。
【請求項５】
複数のＬＥＤ（Light Emitting Diode）を備え、表示画像の分割した各領域における輝度に応じて前記各ＬＥＤに電流を流すローカルディミングを行う表示装置において、
ローカルディミング中に前記各ＬＥＤの使用電流累積値を算出する算出部と、
前記算出された使用電流累積値に基づき前記各ＬＥＤの使用電流累積値が一致するように前記各ＬＥＤに電流を流す制御を行う制御部と、を備えたことを特徴とする表示装置。
【発明の詳細な説明】
【技術分野】
【０００１】
本発明は、ＬＥＤ（Light Emitting Diode）を光源とした表示装置に関する。
【背景技術】
【０００２】
近年、蛍光管の代わりにＬＥＤを光源に用いた液晶表示装置等の表示装置が普及しつつある。
【０００３】
このようなＬＥＤを光源に用いた表示装置は、複数のチャンネル（ＣＨ）のＬＥＤを備えている。いわゆる直下型方式の液晶表示装置では、液晶パネルに対向する面上に複数のチャンネルのＬＥＤが配される。また、いわゆるエッジ型方式の液晶表示装置では、導光板の側面に複数のチャンネルのＬＥＤが配され、ＬＥＤから出力された光を導光板の上面から液晶パネルへ導く。
【０００４】
ここで、直下型方式の液晶表示装置に主に用いられるＬＥＤ駆動方式として、ローカルディミング（Local Dimming）と呼ばれるものがある。ローカルディミングは、液晶パネルを複数の領域に分割したうえで、表示しようとする画像の各領域における輝度に応じて、各チャンネルのＬＥＤの光量を領域毎に個別に調整する駆動方式である。これにより、消費電力を抑えつつ、鮮明な画像の表示が可能となる。
【先行技術文献】
【特許文献】
【０００５】
【特許文献１】特開２００８−３０５５５６号公報
【発明の概要】
【発明が解決しようとする課題】
【０００６】
上述したローカルディミングでは、各チャンネル間のＬＥＤに流す電流値を異ならせてＬＥＤを駆動することになるが、ＬＥＤは電流値ひいては温度により寿命が決まる。そのため、電流値を高くして高い温度で使用する頻度が高いチャンネルのＬＥＤが他のチャンネルに較べて寿命が短くなり、表示装置全体としての寿命が短くなってしまう。
【０００７】
ここで、特許文献１には、長寿命化を図ることができる従来の表示装置が開示されているが、この表示装置はＬＥＤではなく線状に形成される光源を用いることが前提となっている。
【０００８】
上記問題点を鑑み、本発明は、各ＬＥＤに流す電流値を異ならせてＬＥＤを駆動する方式の表示装置において長寿命化を図ることが可能となる表示装置を提供することを目的とする。
【課題を解決するための手段】
【０００９】
上記目的を達成するために本発明は、複数のＬＥＤを備え、前記各ＬＥＤに流す電流を異ならせて前記各ＬＥＤを駆動する表示装置において、
一定時間経過ごとに、または表示装置の電源がオンされるごとに前記各ＬＥＤに流す電流の電流値を変更する制御を行う制御部を備えた構成とする。
【００１０】
このような構成によれば、各ＬＥＤの寿命の均一化を図ることができ、ひいては表示装置全体としての寿命を長くすることが可能となる。なお、電流値とは、例えば、パルス状電流で駆動する場合のデューティ比や、直流電流で駆動する場合の直流電流値を含む。
【００１１】
また、上記構成において、前記複数のＬＥＤは、上下方向の一方に横並びに配されるＬＥＤからなる第１ＬＥＤの組と、他方に横並びに配されるＬＥＤからなる第２ＬＥＤの組とからなり、
前記制御部は、一定時間経過ごとに、または表示装置の電源がオンされるごとに第１ＬＥＤの組と第２ＬＥＤの組との間で電流値を入れ替える構成としてもよい。
【００１２】
また、本構成において、前記複数のＬＥＤを有した１８０°回動自在である表示部と、
一定時間経過ごとに、または表示装置の電源がオンされるごとにユーザに前記表示部を１８０°回動させるよう促す報知を行う報知部と、
前記報知後、前記表示部が１８０°回動されたことを検出する検出部と、を備え、
前記検出がされると、前記制御部は、第１ＬＥＤの組と第２ＬＥＤの組との間で電流値を入れ替える構成としてもよい。
【００１３】
また、本構成において、電流値を入れ替えるとき、上方のＬＥＤの組より下方のＬＥＤの組の電流値が大きくなるようにする構成としてもよい。
【００１４】
また、上記目的を達成するために本発明は、複数のＬＥＤを備え、表示画像の分割した各領域における輝度に応じて前記各ＬＥＤに電流を流すローカルディミングを行う表示装置において、
ローカルディミング中に前記各ＬＥＤの使用電流累積値を算出する算出部と、
前記算出された使用電流累積値に基づき前記各ＬＥＤの使用電流累積値が一致するように前記各ＬＥＤに電流を流す制御を行う制御部と、を備えた構成とする。
【００１５】
このような構成によれば、ローカルディミングによりばらつきが生じたＬＥＤの寿命を均一化させる調整を行うことができる。従って、表示装置全体としての長寿命化を図ることが可能となる。
【発明の効果】
【００１６】
本発明によると、各ＬＥＤに流す電流値を異ならせてＬＥＤを駆動する方式の表示装置において長寿命化を図ることが可能となる。
【図面の簡単な説明】
【００１７】
【図１】本発明の一実施形態に係る液晶表示装置の概略構成図である。
【図２】本発明の第１実施形態に係る液晶表示装置の概略分解斜視図である。
【図３】本発明の第１実施形態に係るＬＥＤ駆動制御の一例に関するフローチャートである。
【図４】本発明の第１実施形態に係るＬＥＤ駆動制御の別の一例に関するフローチャートである。
【図５】本発明の第２実施形態に係るＬＥＤ寿命ばらつき均一化処理に関するフローチャートである。
【発明を実施するための形態】
【００１８】
以下に本発明の一実施形態を図面を参照して説明する。本発明の一実施形態に係る液晶表示装置１００の概略構成を図１に示す。この液晶表示装置１００は、例えば、テレビ受像機（地上デジタル放送対応等）やＰＣ用のモニタとしての表示装置であってもよいし、いわゆるデジタルサイネージ（表示と通信にデジタル技術を活用して映像や情報を表示する広告媒体）としての表示装置であってもよい。
【００１９】
図１に示す液晶表示装置１００は、ＣＰＵ（Central Processing Unit）１と、ＬＥＤドライバ２と、ＣＨ１−ＬＥＤ３と、ＣＨ２−ＬＥＤ４と、ＣＨ３−ＬＥＤ５と、ＣＨ４−ＬＥＤ６と、ＣＨ５−ＬＥＤ７と、ＣＨ６−ＬＥＤ８と、映像処理部９と、液晶パネル１０とを備えている。なお、液晶表示装置１００が例えばテレビ受像機であれば、当然に放送を受信するチューナや復調回路等を有するが、図１に示す構成以外については図示を省略している。
【００２０】
ＣＰＵ１は、液晶表示装置１００全体を制御する演算処理装置であり、不図示のＲＯＭに格納された制御プログラムを実行する。ＬＥＤドライバ２は、ＣＰＵ１からの指示に基づき各チャンネルのＬＥＤ（ＣＨ１−ＬＥＤ３〜ＣＨ６−ＬＥＤ８）に電流を流して駆動する。電流を流す方式としては、ＯＮ時の電流値が一定（例えば６０ｍＡ等）であるパルス状の電流を流す方式を採る。そして、パルスのデューティ比は可変となっている。なお、パルス状ではなく直流電流を電流値を可変として流すようにしてもよい。
【００２１】
図１に示す液晶表示装置１００が直下型方式である場合は、ＣＨ１−ＬＥＤ３〜ＣＨ６−ＬＥＤ８の各チャンネルのＬＥＤは液晶パネル１０に対向する面上に配される。このとき、ＣＨ１−ＬＥＤ３と、ＣＨ２−ＬＥＤ４と、ＣＨ３−ＬＥＤ５が上方に横並びに配され、ＣＨ４−ＬＥＤ６と、ＣＨ５−ＬＥＤ７と、ＣＨ６−ＬＥＤ８が下方に横並びに配される。また、このように配された各ＬＥＤと液晶パネル１０との間には、不図示の拡散シート等が配される。これにより、各チャンネルのＬＥＤから出力された光は拡散シートにより拡散された後、液晶パネル１０を背面から照明する。
【００２２】
また、図１に示す液晶表示装置１００がエッジ型方式である場合は、液晶パネル１０に対向して不図示の導光板が配され、導光板の側面に各チャンネルのＬＥＤが配される。導光板の上側の側面にはＣＨ１−ＬＥＤ３と、ＣＨ２−ＬＥＤ４と、ＣＨ３−ＬＥＤ５が横並びに配され、導光板の下側の側面にはＣＨ４−ＬＥＤ６と、ＣＨ５−ＬＥＤ７と、ＣＨ６−ＬＥＤ８が横並びに配される。また、導光板の背面には不図示の反射シートが配され、導光板と液晶パネル１０との間には拡散シート等が配される。これにより、各チャンネルのＬＥＤより導光板の上下側面から入射された光は導光板内で拡散されてから拡散シート等を通過して液晶パネル１０を背面から照明する。
【００２３】
映像処理部９は、放送映像や広告映像等の映像信号を受信し、受信した映像信号に基づき液晶パネル１０を駆動して画像を表示させる。また、映像処理部９は、ＣＰＵ１からの指示により液晶パネル１０を駆動してＯＳＤ（On Screen Display）画像を表示させることも行う。
【００２４】
（第１実施形態）
液晶表示装置１００は以上のような構成を有するが、第１実施形態としての液晶表示装置１００は図２に示すような構成をさらに有する。図２は、第１実施形態としての液晶表示装置１００の概略分解斜視図である。液晶表示装置１００は、表示部２０と、支持具３０とを備えている。表示部２０は、図１に示す構成を筐体内部に収めた構成としている。支持具３０は、使用時において液晶表示装置１００を壁部や支持台に設置するための部材であり、前面側の前面部材３０１と背面側の背面部材３０２とを有する。前面部材３０１は、背面部材３０２に対して１８０°回動自在に連結される。また、前面部材３０１を表示部２０に取り付けるための取り付け部の左右両端にはそれぞれ磁石３０３が設けられる。そして、背面部材３０２を壁や支持台に取り付ける取り付け部の一端には磁石３０３と対向する位置にホール素子３０４が設けられる。
【００２５】
ホール素子３０４から出力される電圧が、磁石３０３とホール素子３０４とが対向する状態でホール素子から出力される電圧から、磁石３０３とホール素子３０４とが対向しない状態でホール素子から出力される電圧を経由して、再び磁石３０３とホール素子３０４とが対向する状態でホール素子から出力される電圧へ変化したことを検出することにより、前面部材３０１が１８０°回動したこと、即ち、表示部２０が１８０°回動したことを検出できる。
【００２６】
次に、第１実施形態としての液晶表示装置１００におけるＬＥＤ駆動制御について図３に示すフローチャートを用いて説明する。
【００２７】
図３のフローチャートは、例えば液晶表示装置１００の電源がオンとされると開始される。まず、ステップＳ１で、ＣＰＵ１からの指示によりＬＥＤドライバ２は、各チャンネルのＬＥＤに電流を流すことを開始する。このとき、上方に位置するＣＨ１−ＬＥＤ３、ＣＨ２−ＬＥＤ４並びにＣＨ３−ＬＥＤ５に所定の第１デューティ比（例えば４０％）でパルス状電流を流し、下方に位置するＣＨ４−ＬＥＤ６、ＣＨ５−ＬＥＤ７並びにＣＨ６−ＬＥＤ８に第１デューティ比よりも大きい所定の第２デューティ比（例えば８０％）でパルス状電流を流す。ＯＮ時の電流値は上方、下方で同じとする（例えば６０ｍＡ）。
【００２８】
次に、ステップＳ２で、ＣＰＵ１は現在時刻を不図示のメモリに記憶させる。そして、ＣＰＵ１は、現在時刻とメモリに記憶した時刻との差から一定時間が経過したか否かを判定する（ステップＳ３）。一定時間が経過していなければ（ステップＳ３のＮ）、判定を再び行う。そして、一定時間が経過すれば（ステップＳ３のＹ）、ステップＳ４に進む。
【００２９】
ステップＳ４で、ＣＰＵ１からの指示により映像処理部９は、ユーザに表示部２０（図２）を１８０°回動させるよう促すメッセージ画面を液晶パネル１０に表示させる。そして、ステップＳ５で、ＣＰＵ１は、ホール素子３０４（図２）の出力電圧を監視することを開始し、上述した電圧変化を検出することでユーザにより表示部２０が１８０°回動されたことを検出する。
【００３０】
そして、ステップＳ６で、ＣＰＵ１からの指示によりＬＥＤドライバ２は、ＣＨ１−ＬＥＤ３、ＣＨ２−ＬＥＤ４並びにＣＨ３−ＬＥＤ５からなる組と、ＣＨ４−ＬＥＤ６、ＣＨ５−ＬＥＤ７並びにＣＨ６−ＬＥＤ８からなる組とでデューティ比を入れ替えて電流を流すことを開始する。その後、ステップＳ２に戻り、以降同様の動作を繰り返す。
【００３１】
このように、一定時間経過ごとにＣＨ１−ＬＥＤ３、ＣＨ２−ＬＥＤ４並びにＣＨ３−ＬＥＤ５からなる組と、ＣＨ４−ＬＥＤ６、ＣＨ５−ＬＥＤ７並びにＣＨ６−ＬＥＤ８からなる組とでデューティ比を入れ替えて電流を流すので、チャンネル間のＬＥＤの寿命均一化を図ることができる。
【００３２】
また、一定時間経過すると、メッセージ表示によりユーザに表示部２０を１８０°回動させる。ＬＥＤの発熱により温められた空気は上方に移動するので、上方は温度が上昇し易く、下方は温度が上昇しにくい。このような環境である上方、下方に表示部２０の回動により各チャンネルの組が交互に位置することとなるので、チャンネル間のＬＥＤの寿命均一化をより図ることができる。
【００３３】
また、このときに、下方の組のチャンネルが上方の組のチャンネルよりデューティ比が大きくなるようデューティ比が入れ替えられる。これにより、デューティ比の大きな電流を流されて下方の組のチャンネルは高い温度となるが、下方の組のチャンネルにより温められた空気は上方に移動する。よって、下方の組のチャンネルが過剰な温度になることはない。また、上方の組のチャンネルは、下方から温められた空気が移動しても、デューティ比が小さいので、やはり過剰な温度になることはない。従って、各チャンネルの寿命をより長くし、ひいては表示装置全体の長寿命化をより図ることができる。
【００３４】
ＬＥＤ駆動制御についての別実施形態を図４のフローチャートに示す。図４のフローチャートは、液晶表示装置１００の電源がオンとされたタイミングで開始される。まず、ステップＳ１１で、ＣＰＵ１からの指示によりＬＥＤドライバ２は、前回の電源オフ時でのデューティ比の設定で各チャンネルのＬＥＤに電流を流すことを開始する。このとき、下方の組のチャンネルは上方の組のチャンネルよりもデューティ比が大きい。
【００３５】
次に、ステップＳ１２で、ＣＰＵ１からの指示により映像処理部９は、ユーザに表示部２０を１８０°回動させるよう促すメッセージ画面を液晶パネル１０に表示させる。そして、ステップＳ１３で、ＣＰＵ１は、ホール素子３０４（図２）の出力電圧を監視することを開始し、上述した電圧変化を検出することでユーザにより表示部２０が１８０°回動されたことを検出する。
【００３６】
そして、ステップＳ１４で、ＣＰＵ１からの指示によりＬＥＤドライバ２は、ＣＨ１−ＬＥＤ３、ＣＨ２−ＬＥＤ４並びにＣＨ３−ＬＥＤ５からなる組と、ＣＨ４−ＬＥＤ６、ＣＨ５−ＬＥＤ７並びにＣＨ６−ＬＥＤ８からなる組とでデューティ比を入れ替えて電流を流すことを開始する。以降、電源がオフされるまで電流設定は一定である。
【００３７】
このような実施形態によるＬＥＤ駆動制御によっても上述した効果と同様の効果を奏することができる。
【００３８】
なお、以上の実施形態ではユーザに表示部２０を回動させていたが、一定時間の経過時、または電源オン時に自動的に表示部２０を１８０°回動させるようにしてもよい。この場合、表示部２０を回動させる駆動機構（モータ、減速機等）を例えば支持具３０に設ければよい。
【００３９】
また、このような本実施形態としての液晶表示装置１００は、上下のチャンネルの組でＬＥＤの発光量が異なるので、表示画面の輝度ムラ低減という観点からはエッジ型方式を採用することが好適である。
【００４０】
また、本実施形態において、パルス状の電流ではなく、直流電流をＬＥＤ駆動に用いる場合は、上下のチャンネルの組で直流電流値を異ならせればよい。
【００４１】
（第２実施形態）
次に、第２実施形態について説明する。この第２実施形態としての液晶表示装置１００は、ローカルディミングの機能を有した表示装置であり、直下型方式が好適である。また、第１実施形態のように必ずしも表示部の回動機能は必要ではない。
【００４２】
ローカルディミングにおいては、液晶パネル１０を各チャンネルのＬＥＤに対応した複数の領域に分割したうえで、ＣＰＵ１は、表示しようとする画像の各領域における輝度に応じて、各チャンネルのＬＥＤに流す電流を決定する。具体的には、電流のデューティ比を決定する。そして、ＣＰＵ１からの指示によりＬＥＤドライバ２は、決定されたデューティ比で各チャンネルのＬＥＤに電流を流してＬＥＤを駆動する。
【００４３】
ローカルディミング中、ＣＰＵ１は、（デューティ比）×（ＯＮ時電流値）×（時間）で算出される値を累積した使用電流累積値を算出する。使用電流累積値は、各チャンネルのＬＥＤの寿命を示す指標となる（使用電流累積値が大きいほど寿命は短いと推定される）。ローカルディミングを行うと消費電力を抑えて表示画像を鮮明にできるが、各チャンネルのＬＥＤで使用電流累積値がばらつき、即ちＬＥＤの寿命のばらつきが生じる。
【００４４】
例えば、簡単のため各チャンネルのデューティ比は一定とし、ＯＮ時電流値が６０ｍＡ、使用時間を１０時間とした場合、各チャンネルの使用電流累積値は下記のようになる（実際は表示画像に依存するので各チャンネルのデューティ比は一定ではない）。
ＣＨ１：５０％×６０ｍＡ×１０ｈ＝３００
ＣＨ２：７０％×６０ｍＡ×１０ｈ＝４２０
ＣＨ３：８０％×６０ｍＡ×１０ｈ＝４８０
ＣＨ４：４０％×６０ｍＡ×１０ｈ＝２４０
ＣＨ５：６０％×６０ｍＡ×１０ｈ＝３６０
ＣＨ６：５０％×６０ｍＡ×１０ｈ＝３００
この例では、使用電流累積値が最大であるＣＨ３−ＬＥＤ５（図１）の寿命が最も短いと推定される。
【００４５】
そこで、本実施形態では、ローカルディミングによるＬＥＤの寿命ばらつきを均一化する処理を行う。この寿命ばらつき均一化処理のフローチャートを図５に示す。図５のフローチャートが開始されるタイミングは、使用時間が一定時間に到達したときとしてもよいし、少なくとも一つのチャンネルの使用電流累積値が規定値以上となったときとしてもよい。
【００４６】
図５のフローチャートが開始されると、まずステップ２１で、ＣＰＵ１は、使用電流累積値が最小のチャンネル（以下、最小チャンネル）についてデューティ比を基準デューティ比に設定し、それ以外のチャンネルについてのデューティ比を基準デューティ比より小さい所定のデューティ比に設定する。
【００４７】
例えば、上記例であれば、使用電流累積値が最小であるＣＨ４についてのデューティ比を基準デューティ比である８０％に設定し、それ以外のチャンネル（ＣＨ１、２、３、５、６）についてのデューティ比を８０％より小さい６０％に設定する。
【００４８】
次に、ステップＳ２２で、ＣＰＵ１は、設定されたデューティ比で駆動した場合に使用電流累積値が最小チャンネルの使用電流累積値と同じになるまでの時間を、最小チャンネル以外の各チャンネルについて算出する。この時間Ｔｃは、
Ｔｃ＝（Ｉｃ−Ｉｍｉｎ）／（（Ｄ１−Ｄ２）×Ｉｏｎ）で算出できる。
但し、Ｉｃ：対象チャンネルの使用電流累積値、Ｉｍｉｎ：最小チャンネルの使用電流累積値、Ｄ１：基準デューティ比、Ｄ２：基準デューティ比より小さい所定のデューティ比、Ｉｏｎ：ＯＮ時電流値
【００４９】
例えば、上記例であれば、上記時間Ｔｃは下記のように算出される。
ＣＨ１：（３００−２４０）／（（８０％−６０％）×６０ｍＡ）＝５ｈ
ＣＨ２：（４２０−２４０）／（（８０％−６０％）×６０ｍＡ）＝１５ｈ
ＣＨ３：（４８０−２４０）／（（８０％−６０％）×６０ｍＡ）＝２０ｈ
ＣＨ５：（３６０−２４０）／（（８０％−６０％）×６０ｍＡ）＝１０ｈ
ＣＨ６：（３００−２４０）／（（８０％−６０％）×６０ｍＡ）＝５ｈ
【００５０】
次に、ステップＳ２３で、各チャンネルの使用電流累積値を一致させる調整を行う。具体的には、ＣＰＵ１からの指示によりＬＥＤドライバ２が、最小チャンネルについては上記算出された時間Ｔｃのうち最大の時間分だけ設定されたデューティ比（基準デューティ比）でのＬＥＤ駆動を行う。また、上記算出された時間Ｔｃが最大となるチャンネルについてはその時間分だけ設定されたデューティ比（基準デューティ比より小さいデューティ比）でのＬＥＤ駆動を行う。また、それ以外のチャンネルについては上記算出された時間Ｔｃ分だけ設定されたデューティ比（基準デューティ比より小さいデューティ比）でのＬＥＤ駆動を行った後、上記算出された最大の時間Ｔｃとなるまでの残り時間分だけ基準デューティ比でのＬＥＤ駆動を行う。
【００５１】
例えば、上記例であれば、最小チャンネルであるＣＨ４−ＬＥＤ６（図１）については２０時間分（ＣＨ３が時間Ｔｃ最大）だけ基準デューティ比８０％でＬＥＤ駆動を行う。また、時間Ｔｃが最大となるＣＨ３−ＬＥＤ５については２０時間分だけデューティ比６０％でＬＥＤ駆動を行う。また、それ以外のチャンネルについては下記のようにＬＥＤ駆動を行う。
ＣＨ１−ＬＥＤ３：５時間分だけデューティ比６０％、その後１５時間分だけ基準デューティ比８０％
ＣＨ２−ＬＥＤ４：１５時間分だけデューティ比６０％、その後５時間分だけ基準デューティ比８０％
ＣＨ５−ＬＥＤ７：１０時間分だけデューティ比６０％、その後１０時間分だけ基準デューティ比８０％
ＣＨ６−ＬＥＤ８：５時間分だけデューティ比６０％、その後１５時間分だけ基準デューティ比８０％
【００５２】
これにより、全てのチャンネルの使用電流累積値を一致させることができるので、各チャンネルのＬＥＤの寿命を均一化することができる。従って、表示装置全体としての長寿命化を図ることが可能となる。ステップＳ２３の後、処理は終了となる。
【００５３】
なお、本実施形態において、パルス状の電流ではなく、直流電流をＬＥＤ駆動に用いる場合は、ローカルディミングは直流電流値を可変させて行うので、使用電流累積値は（直流電流値）×（時間）を累積して算出される。
【００５４】
以上、本発明の実施形態について説明したが、本発明の趣旨の範囲内であれば、実施形態は種々変更が可能である。
【００５５】
例えば、表示装置の上下でなく左右のチャンネルの組で電流値を切替えてゆく構成としてもよい。また、各チャンネルの電流値を一つずつずらしながら電流値を切替えてゆく構成としてもよい。
【００５６】
また、上記実施形態では、液晶表示装置を対象として説明したが、ＬＥＤを光源とするその他の表示装置にも本発明は適用できる。例えば、ＬＥＤ光源を広告用写真の背面に設けたような広告表示装置に適用してもよい。
【符号の説明】
【００５７】
１００  液晶表示装置
１  ＣＰＵ
２  ＬＥＤドライバ
３  ＣＨ１−ＬＥＤ
４  ＣＨ２−ＬＥＤ
５  ＣＨ３−ＬＥＤ
６  ＣＨ４−ＬＥＤ
７  ＣＨ５−ＬＥＤ
８  ＣＨ６−ＬＥＤ
９  映像処理部
１０  液晶パネル
２０  表示部
３０  支持具
３０１  前面部材
３０２  背面部材
３０３  磁石
３０４  ホール素子
【図１】
2012155043.tif 000003
【図２】
2012155043.tif 000004
【図３】
2012155043.tif 000005
【図４】
2012155043.tif 000006
【図５】
2012155043.tif 000007